(57)【要約】【課題】滅菌袋を開封することなく医療部品の判定を行わせることができる血液浄化装置及び血液浄化装置による医療部品の判定方法を提供する。【解決手段】医療部品１１が取り付けられる装置本体１と、治療情報が記憶された記憶部３と、情報保持部１２にて保持された部品情報を読み取り可能な読み取り部４と、読み取り部４で読み取られた部品情報と記憶部３で記憶された治療情報とを照合して、装置本体１に取り付ける医療部品１１としての適否について判定可能な判定部５とを具備した血液浄化装置において、医療部品１１は、装置本体１に取り付けられる前の状態で滅菌袋Ｂ内に密閉状態とされるとともに、読み取り部４は、滅菌袋Ｂの外部から情報保持部１２にて保持された部品情報を読み取り可能とされたものである。【選択図】図１
2019197414.tif 000002
【特許請求の範囲】
【請求項１】
患者に血液浄化治療を行うための医療部品が取り付けられる装置本体と、
患者の血液浄化治療に関する治療情報が記憶された記憶部と、
情報保持部にて保持された部品情報を読み取り可能な読み取り部と、
前記読み取り部で読み取られた部品情報と前記記憶部で記憶された治療情報とを照合して、前記装置本体に取り付ける医療部品としての適否について判定可能な判定部と、
を具備した血液浄化装置において、
前記医療部品は、前記装置本体に取り付けられる前の状態で滅菌袋内に密閉状態とされるとともに、前記読み取り部は、前記滅菌袋の外部から前記情報保持部にて保持された前記部品情報を読み取り可能とされたことを特徴とする血液浄化装置。
【請求項２】
前記情報保持部は、前記滅菌袋に形成されたことを特徴とする請求項１記載の血液浄化装置。
【請求項３】
前記装置本体は、前記医療部品を取付可能な取付位置を有するとともに、前記読み取り部は、当該取付位置とは異なる位置にある前記情報保持部の部品情報を読み取り可能とされたことを特徴とする請求項１又は請求項２記載の血液浄化装置。
【請求項４】
前記情報保持部は、バーコード、二次元コード、データマトリックスコード、カラーラベル又は識別マークから成ることを特徴とする請求項１〜３の何れか１つに記載の血液浄化装置。
【請求項５】
前記情報保持部は、前記読み取り部に対して前記部品情報を送信可能な送信手段から成ることを特徴とする請求項１〜３の何れか１つに記載の血液浄化装置。
【請求項６】
前記読み取り部は、滅菌袋を開封して医療部品を取り出す作業位置にある前記情報保持部の部品情報を読み取り可能とされたことを特徴とする請求項１〜５の何れか１つに記載の血液浄化装置。
【請求項７】
前記情報保持部は、前記滅菌袋の外面若しくは内面、又は当該滅菌袋に収容された前記医療部品に貼着されたことを特徴とする請求項１〜６の何れか１つに記載の血液浄化装置。
【請求項８】
前記滅菌袋には複数の医療部品が収容されるとともに、前記判定部は、当該複数の医療部品に関する部品情報を一括して照合し、前記装置本体に取り付ける医療部品としての適否を一括して判定可能とされたことを特徴とする請求項１〜７の何れか１つに記載の血液浄化装置。
【請求項９】
患者に血液浄化治療を行うための医療部品が取り付けられる装置本体と、
患者の血液浄化治療に関する治療情報が記憶された記憶部と、
情報保持部にて保持された部品情報を読み取り可能な読み取り部と、
前記読み取り部で読み取られた部品情報と前記記憶部で記憶された治療情報とを照合して、前記装置本体に取り付ける医療部品としての適否について判定可能な判定部と、
を具備した血液浄化装置による医療部品の判定方法において、
前記医療部品は、前記装置本体に取り付けられる前の状態で滅菌袋内に密閉状態とされるとともに、前記読み取り部によって、前記滅菌袋の外部から前記情報保持部にて保持された前記部品情報を読み取ることを特徴とする血液浄化装置による医療部品の判定方法。
【請求項１０】
前記情報保持部は、前記滅菌袋に形成されたことを特徴とする請求項９記載の血液浄化装置による医療部品の判定方法。
【請求項１１】
前記装置本体は、前記医療部品を取付可能な取付位置を有するとともに、前記読み取り部によって、当該取付位置とは異なる位置にある前記情報保持部の部品情報を読み取ることを特徴とする請求項９又は請求項１０記載の血液浄化装置による医療部品の判定方法。
【請求項１２】
前記情報保持部は、バーコード、二次元コード、データマトリックスコード、カラーラベル又は識別マークから成ることを特徴とする請求項９〜１１の何れか１つに記載の血液浄化装置による医療部品の判定方法。
【請求項１３】
前記情報保持部は、前記読み取り部に対して前記部品情報を送信可能な送信手段から成ることを特徴とする請求項９〜１１の何れか１つに記載の血液浄化装置による医療部品の判定方法。
【請求項１４】
前記読み取り部によって、滅菌袋を開封して医療部品を取り出す作業位置にある前記情報保持部の部品情報を読み取ることを特徴とする請求項９〜１３の何れか１つに記載の血液浄化装置による医療部品の判定方法。
【請求項１５】
前記情報保持部は、前記滅菌袋の外面若しくは内面、又は当該滅菌袋に収容された前記医療部品に貼着されたことを特徴とする請求項９〜１４の何れか１つに記載の血液浄化装置による医療部品の判定方法。
【請求項１６】
前記滅菌袋には複数の医療部品が収容されるとともに、前記判定部は、当該複数の医療部品に関する部品情報を一括して照合し、前記装置本体に取り付ける医療部品としての適否を一括して判定することを特徴とする請求項９〜１５の何れか１つに記載の血液浄化装置による医療部品の判定方法。
【発明の詳細な説明】
【技術分野】
【０００１】
本発明は、医療部品が取り付けられて血液浄化治療を行う血液浄化装置及び血液浄化装置による医療部品の判定方法に関するものである。
【背景技術】
【０００２】
一般に、血液透析治療等の血液浄化治療は、複数台の血液浄化装置が設置された病院の治療室にて行われ、複数の患者（例えば１０〜５０人）がほぼ同時に順次治療することとなる。しかるに、血液浄化治療前の準備段階において、装置本体に対して血液回路やダイアライザ等の医療部品が取り付けられ、その取り付けられた医療部品によって血液浄化治療が行われる。かかる医療部品は、治療毎に使い捨てされるディスポーザブル部品から成り、通常、滅菌袋に密閉状態で収容されている。
【０００３】
従来の血液浄化装置は、例えば特許文献１にて開示されているように、装置本体に取り付けられた医療部品がこれから行われる治療条件に適したものか否かが判定（照合）されるよう構成されている。これにより、装置本体に間違って取り付けられた医療部品にて治療が行われてしまうのを防止することができ、血液浄化治療における安全性を向上させることができる。
【先行技術文献】
【特許文献】
【０００４】
【特許文献１】国際公開２００８／１２９３４４号公報
【発明の概要】
【発明が解決しようとする課題】
【０００５】
しかしながら、上記従来技術においては、医療部品を装置本体に取り付けた状態において、その取り付けられた医療部品の適否が判定されるので、治療条件に適さないと判定された場合、医療部品を廃棄せざるを得ず医療機関の負担となってしまうという問題があった。すなわち、医療部品は、治療前において滅菌袋を開封することにより取り出され、装置本体に取り付けられるので、治療条件に適さないと判定された場合、次回の治療まで滅菌状態を維持するのは難しく廃棄せざるを得ないのである。
【０００６】
本発明は、このような事情に鑑みてなされたもので、滅菌袋を開封することなく医療部品の判定を行わせることができる血液浄化装置及び血液浄化装置による医療部品の判定方法を提供することにある。
【課題を解決するための手段】
【０００７】
請求項１記載の発明は、患者に血液浄化治療を行うための医療部品が取り付けられる装置本体と、患者の血液浄化治療に関する治療情報が記憶された記憶部と、情報保持部にて保持された部品情報を読み取り可能な読み取り部と、前記読み取り部で読み取られた部品情報と前記記憶部で記憶された治療情報とを照合して、前記装置本体に取り付ける医療部品としての適否について判定可能な判定部とを具備した血液浄化装置において、前記医療部品は、前記装置本体に取り付けられる前の状態で滅菌袋内に密閉状態とされるとともに、前記読み取り部は、前記滅菌袋の外部から前記情報保持部にて保持された前記部品情報を読み取り可能とされたことを特徴とする。
【０００８】
請求項２記載の発明は、請求項１記載の血液浄化装置において、前記情報保持部は、前記滅菌袋に形成されたことを特徴とする。
【０００９】
請求項３記載の発明は、請求項１又は請求項２記載の血液浄化装置において、前記装置本体は、前記医療部品を取付可能な取付位置を有するとともに、前記読み取り部は、当該取付位置とは異なる位置にある前記情報保持部の部品情報を読み取り可能とされたことを特徴とする。
【００１０】
請求項４記載の発明は、請求項１〜３の何れか１つに記載の血液浄化装置において、前記情報保持部は、バーコード、二次元コード、データマトリックスコード、カラーラベル又は識別マークから成ることを特徴とする。
【００１１】
請求項５記載の発明は、請求項１〜３の何れか１つに記載の血液浄化装置において、前記情報保持部は、前記読み取り部に対して前記部品情報を送信可能な送信手段から成ることを特徴とする。
【００１２】
請求項６記載の発明は、請求項１〜５の何れか１つに記載の血液浄化装置において、前記読み取り部は、滅菌袋を開封して医療部品を取り出す作業位置にある前記情報保持部の部品情報を読み取り可能とされたことを特徴とする。
【００１３】
請求項７記載の発明は、請求項１〜６の何れか１つに記載の血液浄化装置において、前記情報保持部は、前記滅菌袋の外面若しくは内面、又は当該滅菌袋に収容された前記医療部品に貼着されたことを特徴とする。
【００１４】
請求項８記載の発明は、請求項１〜７の何れか１つに記載の血液浄化装置において、前記滅菌袋には複数の医療部品が収容されるとともに、前記判定部は、当該複数の医療部品に関する部品情報を一括して照合し、前記装置本体に取り付ける医療部品としての適否を一括して判定可能とされたことを特徴とする。
【００１５】
請求項９記載の発明は、患者に血液浄化治療を行うための医療部品が取り付けられる装置本体と、患者の血液浄化治療に関する治療情報が記憶された記憶部と、情報保持部にて保持された部品情報を読み取り可能な読み取り部と、前記読み取り部で読み取られた部品情報と前記記憶部で記憶された治療情報とを照合して、前記装置本体に取り付ける医療部品としての適否について判定可能な判定部とを具備した血液浄化装置による医療部品の判定方法において、前記医療部品は、前記装置本体に取り付けられる前の状態で滅菌袋内に密閉状態とされるとともに、前記読み取り部によって、前記滅菌袋の外部から前記情報保持部にて保持された前記部品情報を読み取ることを特徴とする。
【００１６】
請求項１０記載の発明は、請求項９記載の血液浄化装置による医療部品の判定方法において、前記情報保持部は、前記滅菌袋に形成されたことを特徴とする
【００１７】
請求項１１記載の発明は、請求項９又は請求項１０記載の血液浄化装置による医療部品の判定方法において、前記装置本体は、前記医療部品を取付可能な取付位置を有するとともに、前記読み取り部によって、当該取付位置とは異なる位置にある前記情報保持部の部品情報を読み取ることを特徴とする。
【００１８】
請求項１２記載の発明は、請求項９〜１１の何れか１つに記載の血液浄化装置による医療部品の判定方法において、前記情報保持部は、バーコード、二次元コード、データマトリックスコード、カラーラベル又は識別マークから成ることを特徴とする。
【００１９】
請求項１３記載の発明は、請求項９〜１１の何れか１つに記載の血液浄化装置による医療部品の判定方法において、前記情報保持部は、前記読み取り部に対して前記部品情報を送信可能な送信手段から成ることを特徴とする。
【００２０】
請求項１４記載の発明は、請求項９〜１３の何れか１つに記載の血液浄化装置による医療部品の判定方法において、前記読み取り部によって、滅菌袋を開封して医療部品を取り出す作業位置にある前記情報保持部の部品情報を読み取ることを特徴とする。
【００２１】
請求項１５記載の発明は、請求項９〜１４の何れか１つに記載の血液浄化装置による医療部品の判定方法において、前記情報保持部は、前記滅菌袋の外面若しくは内面、又は当該滅菌袋に収容された前記医療部品に貼着されたことを特徴とする。
【００２２】
請求項１６記載の発明は、請求項９〜１５の何れか１つに記載の血液浄化装置による医療部品の判定方法において、前記滅菌袋には複数の医療部品が収容されるとともに、前記判定部は、当該複数の医療部品に関する部品情報を一括して照合し、前記装置本体に取り付ける医療部品としての適否を一括して判定することを特徴とする。
【発明の効果】
【００２３】
請求項１、９の発明によれば、医療部品は、装置本体に取り付けられる前の状態で滅菌袋内に密閉状態とされるとともに、読み取り部によって、滅菌袋の外部から情報保持部にて保持された部品情報を読み取るので、滅菌袋を開封することなく医療部品の判定を行わせることができる。
【００２４】
請求項２、１０の発明によれば、情報保持部は、滅菌袋に形成されたので、滅菌袋を開封することなく滅菌袋に形成された情報保持部の部品情報を読み取らせて医療部品の判定を行わせることができる。
【００２５】
請求項３、１１の発明によれば、装置本体は、医療部品を取付可能な取付位置を有するとともに、読み取り部によって、当該取付位置とは異なる位置にある情報保持部の部品情報を読み取るので、医療部品を装置本体に取り付ける前に情報保持部の部品情報を容易に読み取ることができる。
【００２６】
請求項４、１２の発明によれば、情報保持部は、バーコード、二次元コード、データマトリックスコード、カラーラベル又は識別マークから成るので、汎用的な情報保持部にて部品情報を保持させることができ、製造コストが嵩んでしまうのを抑制できる。
【００２７】
請求項５、１３の発明によれば、情報保持部は、読み取り部に対して部品情報を送信可能な送信手段から成るので、情報保持部にて比較的大量の部品情報を保持させることができる。
【００２８】
請求項６、１４の発明によれば、読み取り部によって、滅菌袋を開封して医療部品を取り出す作業位置にある情報保持部の部品情報を読み取るので、情報保持部の部品情報の読み取り作業、滅菌袋の開封作業、及び医療部品の取付作業を円滑に行わせて作業性を向上させることができる。
【００２９】
請求項７、１５の発明によれば、情報保持部は、滅菌袋の外面若しくは内面、又は当該滅菌袋に収容された医療部品に貼着されたので、読み取り部によって、開封される前の滅菌袋の外部から部品情報を容易且つ確実に読み取ることができる。
【００３０】
請求項８、１６の発明によれば、滅菌袋には複数の医療部品が収容されるとともに、判定部は、当該複数の医療部品に関する部品情報を一括して照合し、装置本体に取り付ける医療部品としての適否を一括して判定するので、医療部品を一つずつ判定するものに比べ、作業時間を短縮させることができる。
【図面の簡単な説明】
【００３１】
【図１】本発明の実施形態に係る血液浄化装置を示すブロック図
【図２】同血液浄化装置における医療部品としての血液回路を示す模式図
【図３】同血液浄化装置における装置本体及び読み取り部を示す模式図
【図４】同血液浄化装置における制御内容を示すフローチャート
【図５】本発明の他の実施形態（中央監視装置と接続された形態）を示す模式図
【図６】本発明の他の実施形態（滅菌袋に医療部品が複数収容された形態）を示す模式図
【図７】本発明の他の実施形態（滅菌袋が収容手段に収容された形態）を示す模式図
【図８】本発明の他の実施形態（滅菌袋が収容手段に収容され、且つ、情報保持部が収容手段の内部若しくは外部であって滅菌袋の外部に収容された形態）を示す模式図
【発明を実施するための形態】
【００３２】
以下、本発明の実施形態について図面を参照しながら具体的に説明する。
本実施形態に係る血液浄化装置は、血液透析治療を行うための透析装置から成るもので、図１〜３に示すように、入力部２、記憶部３、読み取り部４、判定部５、表示部６及び制御部７を具備した装置本体１と、装置本体１に取り付けられる医療部品１１とを有して構成されている。
【００３３】
医療部品１１は、装置本体１に取り付けられて患者に血液浄化治療を行うためのもので、治療毎に使い捨てされるディスポーザブル部品から成る。かかる医療部品１１は、装置本体１に取り付けられる前の状態で滅菌袋Ｂ内に密閉状態とされており、当該滅菌袋Ｂを開封して取り出し可能とされている。なお、滅菌袋Ｂは、例えば蒸気滅菌、γ線滅菌、ＥＯＧ（ethylene oxide gas）滅菌、或いは電子線滅菌等の各種滅菌が施されている。
【００３４】
一方、本実施形態に係る医療部品１１は、血液浄化治療時に患者の血液を体外循環させるための血液回路とされている。この血液回路は、図２に示すように、可撓性チューブから成る動脈側血液回路１１ａ及び静脈側血液回路１１ｂから主に構成されており、これら動脈側血液回路１１ａと静脈側血液回路１１ｂの間に血液浄化器としてのダイアライザＤが接続されるようになっている。
【００３５】
動脈側血液回路１１ａには、その先端に動脈側穿刺針を接続するためのコネクタａが形成されているとともに、途中にしごき型の血液ポンプ８が配設されるようになっている。静脈側血液回路１１ｂには、その先端に静脈側穿刺針を接続するためのコネクタｂが形成されているとともに、途中にエアトラップチャンバ１１ｃが接続されている。また、血液ポンプ８は、装置本体１に配設されており、血液回路が装置本体１に取り付けられた状態において、動脈側血液回路１１ａの一部が血液ポンプ８にセットされた状態となる。
【００３６】
そして、動脈側穿刺針及び静脈側穿刺針を患者に穿刺した状態で、血液ポンプ８を駆動させると、患者の血液は、動脈側血液回路１１ａを通ってダイアライザＤに至った後、ダイアライザＤによって血液浄化が施され、エアトラップチャンバ１１ｃで除泡がなされつつ静脈側血液回路１１ｂを通って患者の体内に戻る。しかして、患者の血液を血液回路にて体外循環させつつダイアライザＤにて浄化するのである。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００３７】
ダイアライザＤは、その筐体部に、血液導入ポートＤａ、血液導出ポートＤｂ、透析液導入ポートＤｃ及び透析液導出ポートＤｄが形成されており、このうち血液導入ポートＤａには動脈側血液回路１１ａの基端が接続されるとともに、血液導出ポートＤｂには静脈側血液回路１１ｂの基端が接続されている。また、透析液導入ポートＤｃ及び透析液導出ポートＤｄは、装置本体１から延設された透析液導入ラインＬ１及び透析液排出ラインＬ２とそれぞれ接続されている。
【００３８】
ダイアライザＤ内には、複数の中空糸が収容されており、該中空糸内部が血液の流路（血液流路）とされるとともに、中空糸外周面と筐体部の内周面との間が透析液の流路（透析液流路）とされている。中空糸には、微小な孔（ポア）が多数形成されて中空糸膜（血液浄化膜）を形成しており、該中空糸膜を介して血液流路中の血液の不純物等が透析液流路中の透析液内に透過して排出され得るよう構成されている。
【００３９】
一方、装置本体１には、透析液導入ラインＬ１及び透析液排出ラインＬ２に跨がって配設された複式ポンプ９が配設されるとともに、複式ポンプ９をバイパスする流路には、ダイアライザＤ中を流れる患者の血液から水分を除去するための除水ポンプ１０が配設されている。さらに、透析液導入ラインＬ１の一端がダイアライザＤ（透析液導入ポートＤｃ）に接続されるとともに、他端が所定濃度の透析液を調製する透析液供給装置（不図示）に接続されている。また、透析液排出ラインＬ２の一端は、ダイアライザＤ（透析液導出ポートＤｄ）に接続されるとともに、他端が図示しない廃液手段と接続されており、透析液供給装置から供給された透析液が透析液導入ラインＬ１を通ってダイアライザＤの透析液流路に至った後、透析液排出ラインＬ２を通って廃液手段に送られるようになっている。
【００４０】
ここで、本実施形態に係る滅菌袋Ｂには、医療部品１１に関わる部品情報を保持した情報保持部１２が取り付けられている。具体的には、情報保持部１２は、バーコード、二次元コード（ＱＲコード（登録商標））、データマトリックスコード、カラーラベル又は識別マークから成るもので、当該情報保持部１２に保持された医療部品１１に関わる部品情報として、例えば血液回路の商品コード、使用期限、ロット番号等が挙げられる。
【００４１】
本実施形態に係る情報保持部１２は、滅菌袋Ｂの外面に貼着されたシート等に印刷等にて形成されており、読み取り部４に情報保持部１２をかざすことにより、保持した部品情報が非接触にて読み取り可能とされている。また、情報保持部１２は、バーコード、二次元コード（ＱＲコード（登録商標））、データマトリックスコード、カラーラベル又は識別マークから成るものに限らず、読み取り部４に対して部品情報を電波等にて送信可能な送信手段（ＲＦタグ等）から成るものとしてもよい。
【００４２】
さらに、情報保持部１２は、滅菌袋Ｂに形成され、読み取り部４にて滅菌袋Ｂの外部から部品情報を読み取り可能とされていれば足り、例えば滅菌袋Ｂに直接印刷されたバーコード、二次元コード、データマトリックスコード、カラーラベル又は識別マークであってもよく、滅菌袋Ｂの内面に形成されたものであってもよい。また、滅菌袋Ｂに収容された医療部品１１に情報保持部１２を貼着するようにしてもよい。
【００４３】
なお、滅菌袋Ｂの内面又は医療部品１１に情報保持部１２を形成するものにおいて、情報保持部１２がバーコード、二次元コード、データマトリックスコード、カラーラベル又は識別マークである場合、滅菌袋Ｂは、当該情報保持部１２を読み込み可能とするため、透明又は半透明な材質のものが好ましい。また、読み取り部４に対して部品情報を電波等にて送信可能な送信手段（ＲＦタグ等）から成る情報保持部１２の場合、滅菌袋Ｂは、透明又は半透明な材質でなくてもよい。
【００４４】
装置本体１は、血液浄化装置の筐体を構成するもので、図３に示すように、血液ポンプ８が配設されるとともに、血液回路（医療部品）を取り付ける取付位置Ｐ１と、ダイアライザＤを取り付ける取付位置Ｐ２と、タッチパネル等の表示部６とを有して構成されている。この装置本体１は、患者が着座又は横臥するベッドの近傍に設置されており、取付位置Ｐ１に取り付けられた血液回路の動脈側穿刺針及び静脈側穿刺針が患者に穿刺した状態で血液浄化治療が行われるようになっている。
【００４５】
また、装置本体１は、血液ポンプ８、複式ポンプ９及び除水ポンプ１０の他、血液浄化治療を行うための種々アクチュエータや電磁弁等が配設されており、これら構成部品が制御部７にて制御されて血液浄化治療が行われるよう構成されている。さらに、本実施形態に係る装置本体１は、入力部２と、記憶部３と、読み取り部４と、判定部５と、表示部６と、制御部７とを有している。
【００４６】
入力部２は、医師や医療従事者等が所定の情報を装置本体１に対して入力可能なもので、例えば表示部６のタッチパネルや別個の操作ボタン等を操作して入力し得るようになっている。具体的には、入力部２は、患者の血液浄化治療に関する治療情報として、例えば治療モード（治療の種類）、プライミングボリューム（大人、小児又は幼児により異なるプライミングボリューム）等が入力される。
【００４７】
記憶部３は、入力部２と接続された記憶媒体から成るもので、入力部２にて入力された患者の血液浄化治療に関する治療情報を記憶可能とされている。すなわち、入力部２にて入力された治療モード（治療の種類）、プライミングボリューム（大人、小児又は幼児により異なるプライミングボリューム）等、これから行われる血液浄化治療における治療情報が記憶され、読み取り部４にて読み取られた部品情報との照合が可能とされているのである。
【００４８】
読み取り部４は、情報保持部１２にて保持した部品情報を読み取り可能なもので、例えば所定の光をバーコード等に照射し、その反射光に基づいて部品情報を読み取り可能なバーコードリーダ等から成る。しかして、読み取り部４は、滅菌袋Ｂの外部から部品情報を読み取ることができるので、滅菌袋Ｂを開封する前に判定部５による照合及び判定が可能とされている。すなわち、作業者が開封前の滅菌袋Ｂを持って読み取り部４に情報保持部１２をかざす（近接させる）と、読み取り部４が非接触にて情報保持部１２の部品情報を読み取ることができるのである。なお、読み取り部４は、情報保持部１２が読み取り部４に接触することにより部品情報を読み取り可能なものとしてもよい。
【００４９】
さらに、本実施形態に係る読み取り部４は、装置本体１の取付位置Ｐ１とは異なる位置（作業位置Ｐ３）にある情報保持部１２の部品情報を読み取り可能とされている。すなわち、装置本体１の前面側（正面側）の所定範囲には、図３に示すように、滅菌袋を開封して医療部品を取り出す作業を行うことができる作業位置Ｐ３が設けられており、作業者が開封前の滅菌袋Ｂを作業位置Ｐ３まで持ち上げ、その作業位置Ｐ３に情報保持部１２が位置する（作業位置Ｐ３で設定された範囲内に位置する）ことにより、読み取り部４が情報保持部１２の部品情報を読み取ることができるのである。なお、読み取り部４は、装置本体１の前面側（正面側）とは異なる位置（例えば、装置本体１の側面若しくは背面、又は表示部６の正面であって表示部６の画面周囲の枠部分、側面若しくは裏面等）に設置されていてもよい。
【００５０】
判定部５は、読み取り部４で読み取られた部品情報と記憶部３で記憶された治療情報とを照合して、装置本体１に取り付ける医療部品としての適否について判定可能なものである。例えば、記憶部３において、所定の治療モードにて治療が行われる治療情報が記憶されている場合、その治療モードに用いられる医療部品（血液回路）か否か判定され、又は小児又は幼児に対して治療が行われる治療情報が記憶されている場合、小児又は幼児の治療に用いられるプライミングボリュームの医療部品（血液回路）か否か判定される。
【００５１】
そして、読み取り部４で読み取られた部品情報が記憶部３で記憶された治療情報と照合され、互いの情報（治療条件や使用する部品等）が合致する場合、装置本体１に取り付ける医療部品として適切と判定され、例えば表示部６にてその旨（医療部品が適切である旨）を表示する。また、読み取り部４で読み取られた部品情報が記憶部３で記憶された治療情報と照合され、互いの情報（治療条件や使用する部品等）が合致しない場合、装置本体１に取り付ける医療部品として適切でないと判定され、例えば表示部６にてその旨（医療部品が適切でない旨）を表示する。
【００５２】
これにより、判定部５にて装置本体１に取り付ける医療部品としての適否を医療従事者に把握させることができるので、判定部５にて適していると判定された場合、滅菌袋Ｂを開封して医療部品を取り出し、装置本体１の位置Ｐ１に取り付けて血液浄化治療を開始させることができる。一方、判定部５にて適していないと判定された場合、滅菌袋Ｂの開封をすることなく、適している医療部品に交換することができる。
【００５３】
次に、本実施形態に係る制御内容について、図４のフローチャートに基づいて説明する。
先ず、入力部２に入力された治療情報を記憶部３にて記憶（Ｓ１）した後、読み取り部４にて部品情報が読み取られたか否か判定される（Ｓ２）。Ｓ２にて部品情報が読み取られたと判定されると、Ｓ３に進み、読み取り部４で読み取られた部品情報と記憶部３で記憶された治療情報とが照合（比較）される。
【００５４】
その後、Ｓ３にて行われた照合に基づいて、装置本体１に取り付ける医療部品としての適否が判定され（Ｓ４）、装置本体１に取り付ける医療部品として適切であると判定されると、Ｓ５にて予め定められた使用期限内であるか否か判定される。そして、Ｓ５にて使用期限内であると判定されると、Ｓ６に進み、表示部６の画面において、装置本体１に取り付ける医療部品として適切である旨、及び使用期限内である旨が表示される。
【００５５】
一方、Ｓ４にて装置本体１に取り付ける医療部品として適切でないと判定、又はＳ５にて使用期限内でないと判定されると、Ｓ７に進み、表示部６の画面において、装置本体１に取り付ける医療部品として適切でない旨、又は使用期限内でない旨が表示される。また、装置本体１に取り付ける医療部品として適切でない、又は使用期限内でないと判定された場合、表示部６による表示に代え、又は共に、他の報知手段（例えば、表示灯やスピーカ等）にてその旨報知する（すなわち、他の報知手段による報知のみ行う、又は表示部６による表示及び他の報知手段による報知を行う）ようにしてもよい。
【００５６】
なお、Ｓ４にて装置本体１に取り付ける医療部品として適切でないと判定、又はＳ５にて使用期限内でないと判定された場合に限り、表示部６の画面に判定結果を表示させるものとし、Ｓ４にて装置本体１に取り付ける医療部品として適切であると判定、又はＳ５にて使用期限内であると判定された場合、表示部６の画面に判定結果を表示させないものとしてもよい。
【００５７】
本実施形態によれば、医療部品は、装置本体１に取り付けられる前の状態で滅菌袋Ｂ内に密閉状態とされるとともに、読み取り部４によって、滅菌袋Ｂの外部から情報保持部１２にて保持された部品情報を読み取るので、滅菌袋Ｂを開封することなく医療部品１１の判定（装置本体１に取り付ける医療部品としての適否についての判定）を行わせることができる。特に、本実施形態に係る情報保持部１２は、滅菌袋Ｂに形成されたので、滅菌袋Ｂを開封することなく滅菌袋Ｂに形成された情報保持部１２の部品情報を読み取らせて医療部品の判定を行わせることができる。
【００５８】
また、本実施形態に係る装置本体１は、医療部品１１を取付可能な取付位置Ｐ１を有するとともに、読み取り部４によって、当該取付位置Ｐ１とは異なる位置にある情報保持部１２の部品情報を読み取るので、医療部品１１を装置本体１に取り付ける前に情報保持部１２の部品情報を容易に読み取ることができる。
【００５９】
さらに、本実施形態に係る情報保持部１２は、バーコード、二次元コード、データマトリックスコード、カラーラベル又は識別マークから成るので、汎用的な情報保持部１２にて部品情報を保持させることができ、製造コストが嵩んでしまうのを抑制できる。また、情報保持部１２は、読み取り部４に対して部品情報を送信可能な送信手段から成るものとすれば、情報保持部１２にて比較的大量の部品情報を保持させることができる。
【００６０】
またさらに、読み取り部４によって、滅菌袋Ｂを開封して医療部品を取り出す作業位置Ｐ３にある情報保持部１２の部品情報を読み取るので、情報保持部１２の部品情報の読み取り作業、滅菌袋Ｂの開封作業、及び医療部品１１の取付作業を円滑に行わせて作業性を向上させることができる。また、本実施形態に係る情報保持部１２は、滅菌袋Ｂの外面若しくは内面、又は当該滅菌袋Ｂに収容された医療部品１１に貼着されたので、読み取り部４によって、開封される前の滅菌袋Ｂの外部から部品情報を容易且つ確実に読み取ることができる。
【００６１】
以上、本実施形態について説明したが、本発明はこれに限定されず、滅菌袋Ｂに収容される医療部品は、本実施形態の如く血液回路（動脈側血液回路１１ａ及び静脈側血液回路１１ｂ）に限らず、例えばダイアライザＤ、持続緩除式血液濾過器、血液吸着器、血漿分離器、血漿成分分画器、血漿吸着器、抗凝固薬、生理食塩液、透析用液、血液製剤、カテーテル等、他の医療部品であってもよい。例えばダイアライザＤを医療部品とした場合、情報保持部１２にて保持される部品情報として、中空糸（血液浄化膜）の種類、濾過率
、情報商品コード、使用期限、ロット番号等とすることができる。また、図５に示すように、複数の装置本体１の入力部２と電気的に接続され、患者の血液浄化治療に関する治療情報を各装置本体１に送信可能な中央監視装置Ｃを具備したものに適用され、入力部２に入力及び記憶部３に記憶される治療情報が中央監視装置Ｃから送信されるよう構成してもよい。
【００６２】
さらに、図６に示すように、滅菌袋Ｂには複数の医療部品１１（例えば、血液回路及びダイアライザＤ等）が収容されるとともに、判定部５は、当該複数の医療部品１１に関する部品情報を一括して照合し、装置本体１に取り付ける医療部品としての適否を一括して判定可能とされたものとしてもよい。この場合、医療部品１１を一つずつ判定するものに比べ、作業時間を短縮させることができる。
【００６３】
またさらに、図７に示すように、情報保持部１２が取り付けられた滅菌袋Ｂが医療部品１１を収容し、別個の収容手段Ｆ（包装紙、包装袋又は包装箱等含む）にて覆われて収容されたものとしてもよい。また、情報保持部１２は、滅菌袋Ｂに形成されないものとしてもよく、図８に示すように、例えば滅菌袋Ｂを収容した別個の収容手段Ｆであって滅菌袋Ｂとは異なる位置（収容手段Ｆの内部及び外部の両方含む）に情報保持部１２を形成してもよい。なお、本実施形態においては透析治療における透析装置に適用されているが、患者の血液を浄化治療し得る他の装置（例えば血液濾過透析法、血液濾過法、ＡＦＢＦ、持続緩除式血液濾過療法、血液吸着療法、選択式血球成分除去療法、単純血漿交換療法、二重膜濾過血漿交換療法、又は血漿吸着療法で使用される血液浄化装置、血液吸着装置、血漿吸着装置等）に適用してもよい。
【産業上の利用可能性】
【００６４】
医療部品は、装置本体に取り付けられる前の状態で滅菌袋内に密閉状態とされるとともに、読み取り部によって、滅菌袋の外部から情報保持部にて保持された部品情報を読み取る血液浄化装置及び血液浄化装置による医療部品の判定方法であれば、外観形状が異なるもの或いは他の機能が付加されたもの等にも適用することができる。
【符号の説明】
【００６５】
１    装置本体
２    入力部
３    記憶部
４    読み取り部
５    判定部
６    表示部
７    制御部
８    血液ポンプ
９    複式ポンプ
１０  除水ポンプ
１１  医療部品
１１ａ  動脈側血液回路
１１ｂ  静脈側血液回路
１２  情報保持部
Ｄ    ダイアライザ（血液浄化器）
Ｂ    滅菌袋
【図１】
2019197414.tif 000003
【図２】
2019197414.tif 000004
【図３】
2019197414.tif 000005
【図４】
2019197414.tif 000006
【図５】
2019197414.tif 000007
【図６】
2019197414.tif 000008
【図７】
2019197414.tif 000009
【図８】
2019197414.tif 000010